(57)【要約】【課題】原稿と印刷結果を照合して印刷検査を行う印刷装置において、共通のフォームを有するページを多数印刷する際に、検査を効率よく行う。【解決手段】共通フォームを有する一連のページから、各ページに共通する内容が印刷される固定印刷領域４０と、各ページごとに別に定められる内容が印刷される変更印刷領域４２とを抽出する。変更印刷領域は、実際に伝達したい内容が記載されている可能性が高く、検査を厳しく行い、印刷画像に欠陥がないか細かく調べる。一方、固定印刷領域は、定形のフォームである可能性が高く、変更印刷領域に比してある程度の欠陥が許容される。よって検査をやや緩く行うことにより、この領域の画像欠陥により、不良と判定されるページの数を減少させる。また、検査負担を低減する。【選択図】図４
2005217931.tif 000002
【特許請求の範囲】
【請求項１】
原稿画像データと、この原稿画像データに基づき印刷された画像を読取って得られた検査画像データとを照合して、印刷結果の検査を行う印刷画像検査装置において、
共通するフォームを有する複数のページを連続して印刷する共通フォームジョブを処理する際に、前記各ページの原稿画像データに基づき、共通して固定されたデータに基づき印刷が行われる固定印刷領域と、印刷が行われるものの各ページに共通ではなく変更されるデータによって印刷が行われる変更印刷領域とを抽出する領域抽出部と、
各ページの原稿画像データと検査画像データを照合して、これらのデータの一致の程度に基づき印刷結果の良否を判定する判定部であって、良否判定の基準を前記固定印刷領域より前記変更印刷領域において厳しくする判定部と、
を有する、印刷画像検査装置。
【請求項２】
請求項１に記載の印刷画像検査装置において、
前記領域抽出部は、共通フォームジョブを処理する際に、前記各ページの原稿画像データに基づき、さらに各ページに共通して印刷が行われない非印刷領域を抽出し、
前記判定部は、良否判断の基準を前記非印刷領域、前記固定印刷領域、前記変更印刷領域の順に厳しくする、
印刷画像検査装置。
【請求項３】
請求項１に記載の印刷画像検査装置において、
前記領域抽出部は、複数ページの二値データに基づき、同一位置の画素または画素群ごとに画素値の積算を行い、積算値が積算ページ数に相当する値となった画素を含む領域を前記固定印刷領域とし、積算値が０より大きく積算ページ数に相当する値未満の画素を含む領域を前記変更印刷領域とする、印刷画像検査装置。
【請求項４】
請求項３に記載の印刷画像検査装置において、
前記領域抽出部は、一つの共通フォームジョブに含まれる全ページについて、前記画素値の積算を行い、これに基づき前記固定印刷領域および前記変更印刷領域を定める、
印刷画像検査装置。
【請求項５】
請求項３に記載の印刷画像検査装置において、
前記領域抽出部は、一つの共通フォームジョブに含まれる一部の所定数のページについて、前記画素値の積算を行い、これに基づき前記固定印刷領域および前記変更印刷領域を定める、
印刷画像検査装置。
【請求項６】
請求項３に記載の印刷画像検査装置において、
前記領域抽出部は、一つの共通フォームジョブに含まれるページを印刷実行順に積算し、所定ページ数が積算されるごとに、それまでの積算値に基づき前記固定印刷領域および前記変更印刷領域を更新し、
前記判定部は、判定時点において最新の前記固定印刷領域および前記変更印刷領域を用いて印刷結果の良否を判定する、
印刷画像検査装置。
【請求項７】
請求項５または６に記載の印刷画像検査装置において、さらに、
一つの共通フォームジョブにおいて判定に用いられた各領域の位置および形状の情報を含む領域データを記憶する記憶部と、
前記領域抽出部にて定めた前記固定印刷領域および前記変更印刷領域と類似するものが前記記憶部に記憶されているかを検索する領域データ検索部と、
前記判定部は、検索された類似の領域データの前記固定印刷領域および前記変更印刷領域に基づき判定を行う、
印刷画像検査装置。
【請求項８】
請求項５に記載の印刷画像検査装置において、さらに、
一つの共通フォームジョブにおいて判定に用いられた各領域の位置および形状の情報を含む領域データを記憶する記憶部と、
前記領域抽出部にて定めた前記固定印刷領域および前記変更印刷領域と類似するものが前記記憶部に記憶されているかを検索する領域データ検索部と、
前記領域データ検索部において、検索された領域データに関する情報を当該印刷画像検査装置の操作者に提供する検索領域データ提供部と、
検索された領域データを使用するか否か、また領域データが複数ある場合どれを選択するかについての操作者からの選択指示を受け付ける、選択指示受付部と、
を有し、
前記判定部は、前記選択指示された前記固定印刷領域および前記変更印刷領域に基づき判定を行う、
印刷画像検査装置。
【請求項９】
請求項６に記載の印刷画像検査装置において、さらに、
一つの共通フォームジョブにおいて判定に用いられた各領域の位置および形状の情報を含む領域データを記憶する記憶部と、
前記領域抽出部にて定めた前記固定印刷領域および前記変更印刷領域と類似するものが前記記憶部に記憶されているかを検索する領域データ検索部と、
を有し、
前記領域抽出部は、前記検索された領域データが一つになるまで積算を繰り返し、その後は、前記検索された領域データを前記固定印刷領域および前記変更印刷領域とする、
印刷画像検査装置。
【請求項１０】
請求項７から９のいずれか１項に記載の印刷画像検査装置にいて、前記領域データ検索部は、前記固定印刷領域の情報のみに基づき検索を行う、
印刷画像検査装置。
【請求項１１】
請求項５または６に記載の印刷画像検査装置において、前記領域抽出部は、前記固定印刷領域に囲まれた領域は全て前記変更印刷領域とする、印刷画像検査装置。
【請求項１２】
請求項５または６に記載の印刷画像検査装置において、前記領域抽出部は、前記固定印刷領域に囲まれた領域に内にある前記変更印刷領域を、行の方向に当該固定印刷領域に達するまで拡大する、印刷画像検査装置。
【請求項１３】
原稿画像データと、この原稿画像データに基づき印刷された画像を読取って得られた検査画像データとを照合して、印刷結果の検査を行う印刷画像検査方法おいて、
共通するフォームを有する複数のページを連続して印刷する共通フォームジョブを処理する際に、前記各ページの原稿画像データに基づき、共通して固定されたデータに基づき印刷が行われる固定印刷領域と、印刷が行われるものの各ページに共通ではなく変更されるデータによって印刷が行われる変更印刷領域とを抽出し、
各ページの原稿画像データと検査画像データを照合して、これらのデータの一致の程度に基づき印刷結果の良否を判定する際に、良否判定の基準を前記固定印刷領域より前記変更印刷領域において厳しくする、
印刷画像検査方法。
【発明の詳細な説明】
【技術分野】
【０００１】
本発明は、原稿画像データとこれに基づき印刷された印刷画像とを比較して印刷結果の良否を判定する検査に関する。
【背景技術】
【０００２】
印刷された画像が元となる原稿画像のデータどおりに印刷されたかを検査する印刷検査装置が知られている。例えば、下記特許文献１には、印刷対象の画像について、検査対象とする重要領域をあらかじめ登録しておき、この部分の原稿画像データと印刷結果の画像とを比較する装置が記載されている。
【０００３】
【特許文献１】特開平９−２１６４４１号公報
【発明の開示】
【発明が解決しようとする課題】
【０００４】
前記特許文献１に記載の装置は、検査対象の領域を操作者自らが設定することが必要であり、その設定工数を必要とする。また、原稿画像データに検査対象の領域を指定する情報の追加を、原稿画像データのページ記述言語が許可しない場合もありうる。
【０００５】
また、印刷内容によっては、ページ内の定形フォームの部分などについては、検査の必要はあるものの、それほど厳密に行う必要はない部分もあり、このような部分を有するページの印刷検査に関して、前記特許文献１には記載がない。
【０００６】
本発明は、印刷検査の対象領域の設定に関し、操作者の負担を軽減する。また、検査の厳しさの要求に対応する領域を設定し、領域ごとに検査の精度を適切な者とすることにより、不良と判定されるページを低減する。また、検査に関する装置への負荷を軽減する。
【課題を解決するための手段】
【０００７】
本発明の印刷画像検査装置は、共通するフォームを有する複数のページを連続して印刷するジョブを処理する際に、これらのページの原稿画像データに基づき、検査の厳密さに応じた領域の抽出を行い、領域ごとに検査の厳しさを変える。領域抽出は、各ページに共通し、固定された内容で印刷が行われる固定印刷領域と、印刷は行われるが各ページに共通しない内容で印刷が行われる変更印刷領域とを抽出するものである。固定印刷領域は、いわゆる定形フォームである場合が多く、印刷画像を見る者にとって、この部分は、見慣れた情報であることが多い。したがって、そこに示されている情報の重要度はそれほど高くはなく、印刷結果に対して厳密な検査を行う必要はさほどないと考えられる。一方、変更印刷領域は、個々のページにより異なる情報であり、そのページにより伝達したい内容、すなわち重要な内容が示されている領域と考えられる。したがって、この部分の検査は、厳密に行い、伝達内容に間違いがないか十分に確認することが重要になる。このような領域を抽出し、これらの領域に対して、異なる良否判定の基準を適用して、印刷結果画像の検査を行う。
【０００８】
固定印刷領域において、検査が比較的緩いので、少々の印刷欠陥があったとしても、これをもって印刷不良と判定される可能性が低くなり、無駄な用紙の使用が減少する。また、変更印刷領域においては、検査を厳しくするためにより、汚れ、欠けなどの印刷欠陥による誤った情報が伝達される可能性が低くなる。また、より狭い範囲でのみ厳しい検査を行うようにしているので、検査処理における装置の負担が減少される。
【０００９】
抽出する領域に、さらに各ページに共通して印刷が行われない非印刷領域を加えることができる。非印刷領域は、さらに検査を緩くすることができる。
【００１０】
領域抽出は、例えば、各ページの同一位置の画素、または隣接する複数の画素から構成される画素群ごとに各ページの画素値を積算し、積算値に基づき領域を抽出する。各ページの画素値が二値（０，１）の場合、積算値が積算したページの数と一致すれば固定印刷領域であり、積算したページの数に積算値が達しないが０でもない場合は、変更印刷領域である。なお、積算値が０であれば非印刷領域である。
【００１１】
前記の積算は、一つの共通フォームジョブに含まれる全ページにわたって行うようにすることができる。この場合、当該ジョブにおける各領域は決定する。
【００１２】
また、一つのジョブに含まれる一部のページについて前記の積算を行い、この結果に基づき領域を決定するようにもできる。
【００１３】
また、一つのジョブに含まれるページを印刷の実行順に積算し、所定数の積算が終わるごとに各領域を定め、前回までの領域を更新し、一方で、印刷の良否の判定は、判定を行う時点で最新の各領域のデータに基づき判定を行うようにできる。１枚の画像が印刷され、読み取られて検査画像データが得られるまでには、所定の時間を必要とし、この時間内に原稿画像データの積算を進めておくことができる。よって、１枚目のページの検査においても、これに続く複数ページの原稿画像データに基づき定められた領域に基づく検査が可能となる。
【００１４】
一つのジョブで用いられた領域の情報は記憶しておくことができ、次回領域の位置形状などが類似するジョブを処理する際に、これを利用することができる。この場合、原稿画像データの積算を全ページにわたって行わなくても済む場合があり、処理の負担が軽減される。記憶されている各領域の情報について、今回のジョブに関して類似する情報を操作者に提供し、これを用いるか否かを選択させることもできる。また、今回のジョブの領域に類似する情報を複数提供し、この中から使用する領域の情報を選択させるようにすることができる。この検索は、固定印刷領域に関する情報のみに基づき行うことができる。
【００１５】
また、固定印刷領域に囲まれている部分は、変更印刷領域とすることができる。固定領域に囲まれた部分は、枠罫線の内側部分である場合があり、この部分には、各ページ個別の情報が書き込まれている場合が多い。枠罫線の内部であれば、一部の原稿画像データに基づき定められた領域において非印刷領域とされている部分についても、残りの原稿画像データにおいて印刷がなされる可能性があり、この部分については変更印刷領域として取り扱うことが好ましい。また、固定印刷領域に囲まれた領域内に存在する変更印刷領域は、行方向、すなわち横書きのフォームであれば横方向に、縦書きであれば縦方向に、囲んだ固定印刷領域に達するまで延ばすことができる。
【発明を実施するための最良の形態】
【００１６】
以下、本発明の実施形態を、図面に従って説明する。図１には、本実施形態のプリントシステムが示されている。プリントシステムは、プリンタ１０と、プリンタ１０に印刷指示を行うプリントサーバ１２と、プリンタ１０により印刷された画像の検査を行う検査装置１４の概略構成が示されている。検査装置１４は、処理機能に従ったブロック図にて示され、実際にはプリンタ１０と一体に、またはその内部に搭載される。
【００１７】
プリントサーバ１２から送られたプリントジョブは、原稿画像データ抽出部１６に送られ、各ページごとの印刷に必要な原稿画像データが抽出されてプリンタ１０に送られる。プリンタ１０では、このデータに従って印刷が実行される。プリンタ１０は、電子写真方式により印刷を行う公知の装置であるが、他の印刷方式を用いることも可能である。原稿画像データ抽出部１６で抽出された原稿画像データは、検査装置１４内の原稿画像データ保存部１８に送られ、ここに一時的に保存される。一方、用紙に印刷された印刷結果画像は、読取部２０により光学的に読み取られて、印刷結果の検査に用いられる検査画像データとして、検査画像データ保存部２２に一時的に保存される。原稿画像データと、このデータに基づき印刷された結果の検査画像データがそろうと、判定部２４はこれらのデータを読み出し、データの一致の程度に基づき印刷結果の良否を判定する。判定は、例えば原稿画像データと検査画像データの対応する画素値（二値データであれば０と１）を比較して一致する画素数により行うことができる。一致する画素数が少なければ、印刷結果に何らかの不具合があると判断できる。判定部２４による判定結果に基づきプリンタ１０は、プリンタの印字機構、紙送り機構などの各機構部分に所定の操作を行う。例えば、不良の判定がなされた用紙については、他の用紙と分けてスタックされるように紙送り機構を制御する。また、例えば、不良の判定がなされた印刷を再度実行するように制御を行う。なお、本明細書において、「用紙」は、いわゆるコピー用紙など薄い紙のものに限らず、フィルム、厚紙、葉書などの印刷対象物全般を示すものである。
【００１８】
この検査装置１４においては判定部２４において、印刷の特性応じて領域を分割し、領域ごとに検査の厳しさを変えて判定を行う。判定を厳しくすれば、小さな差でも不良と判断されるので、原稿画像データに、より一致する印刷結果が得られるが、反面、不良となった用紙は無駄となってしまう。この検査装置１４においては、共通するフォームを有する複数のページを連続して印刷するジョブの場合に、そのジョブに含まれる各ページの原稿画像データに基づき、共通のフォームと思われる部分、各ページごとの内容が共通でない部分、白紙の部分の領域を抽出し、この領域ごとに検査の厳しさを変化させる。
【００１９】
以下、検査装置１４における各領域の抽出について詳細に説明する。共通フォームを有する印刷ジョブとして、図２に示す納品書などがある。納品書においては、罫線や枠線などの図形的情報、や納品元を示す「ＸＸＸＸ株式会社」およびその住所、郵便番号、電話番号、住所などは、どの納品書においても共通である。一方、届け先の名前や住所、郵便番号、電話番号や、納品される物品の品名やその数量、単価、合計額などは、納品書ごとに異なっている。罫線などの図形情報は、一部が欠けたり、とぎれたりして、形状がある程度乱れたとしても、大きな問題を生じない。また、罫線に付随して設けられる文字情報、例えば「お届け先」や、その中の項目を示す「名前」や「都道府県」「郵便番号」等の文字についても、決まったものであるので、これが判別しづらくても大きな問題を生じない。したがって、これらの印刷について、厳しい検査は必要なく、見た目が汚くない程度であれば何ら問題ない。一方、各納品書個別の情報である届け先の名前、住所など、納品物品の品名、数量、金額などは、間違いなく読み取られなければならず、また読む人にとっても注目する部分である。したがって、これらの印刷については、十分な検査を行い、汚れ等で見にくくなったり、欠けたりして情報が伝達されないことがないようにする必要がある。
【００２０】
図２の納品書のお届け先の欄を例に挙げて領域の抽出について説明する。積算部２６は、原稿画像データ保存部１８から原稿画像データを順次受け取り、各ページの同じ位置の画素値を画素ごとに積算する。原稿画像データが０と１の二値画像であれば、積算された全ページにわたって同じ印刷がなされる部分については、積算値は積算されたページ数と一致する。全ページにわたって印刷されない部分は、画素値は０である。この間の画素値であれば、各ページに共通ではない印刷がなされる部分である。また、一つ一つの画素ごとに積算するのではなく、いくつかの画素をまとめて画素群とし、この画素群の代表の画素値を定め、これを積算してもよい。一つの画素群の代表値は、画素群の中に画素値１すなわち黒の画素が一つでもあれば１とし、全ての画素が０すなわち白のときのみ０とする。
【００２１】
図３は、積算値をグレースケールで対応させた図である。すなわち、図中濃い部分ほど積算値が高く、薄い部分ほど積算値が低いことを示している。図に示されるように、定形部分である「お届け先」「名前」「都道府県」等の文字、枠、下線などの図形情報は黒く、すなわち積算値が積算ページ数と一致していることが示されている。届け先の名前の部分や、県名、市町村名などは、様々な文字が重なっており、また一つ一つの文字も薄くなっている。すなわち、この部分の印刷内容は、各ページに共通ではない内容であることを示している。
【００２２】
領域抽出部２８は、積算値に基づき、領域の抽出を行う。各ページにおいて共通の印刷がなされる部分（黒の部分）に対して太め処理を行い、連続する黒の部分を囲う方形領域を設定する。この領域が各ページで共通に、固定した内容で印刷が行われる固定印刷領域である。図４に、この固定印刷領域が符号４０を付され、また灰色の領域で示されている。枠部分は、枠を構成する直線が一つの領域を形成し、この例では５つの領域が組み合わされて形成されている。文字の部分は、太め処理によって隣接する文字がつながり、これにより一つの領域が形成される。画素値が、積算ページ数に達っしていないが０でもない画素、すなわちページごとに変更される内容が印刷される部分についても、太め処理を実行し、連続する部分を囲う方形領域を設定する。これが図４には一点鎖線で囲った領域として示されており、この領域が変更印刷領域４２である。この二つの領域以外が非印刷領域である。領域抽出部２８は、以上のようにして各領域の抽出を行う。なお、太め処理により方形領域を設定する方法を示したが、この設定は他の方法を用いることもできる。
【００２３】
図４の情報は、積算されたページの原稿画像データに基づき作成されたものであり、残りのページの中には、図４の変更画像領域の外側の非印刷領域に印刷が行われる可能性がある。例えば、図４の名前の欄に示された長さより長い名前の届け先があった場合、そのようなことが起こる。しかし、この場合は、図の変更印刷領域の方形を行方向、すなわち横方向に延ばした範囲に印刷されることが推定される。したがって、図４の変更印刷領域を、固定印刷領域に達するまで延ばすことにより、以降より長い名前が印刷された場合にもこれを含めることができる。このように設定された各領域が、図５に示されている。図６は、図４の例において各領域のみを表した図である。灰色の領域が固定印刷領域であり、一点鎖線で囲われた領域が変更印刷領域である。また、図６のように抽出された各領域の、ページ上の位置、形状が定められる。このページ上の領域の位置、形状の情報を、以下領域フォームと呼ぶ。
【００２４】
また、固定印刷領域に囲まれた部分を全て、変更印刷領域とすることもできる。例えば、図７に示された品目リストの欄においては、品目の数が少ないと、下の三つの欄のように、記載の可能性があるのに非印刷領域となってしまう部分が生じ得る。そこで、図８のように固定印刷領域に囲まれた部分は全て変更印刷領域とする。
【００２５】
決定された領域フォームが検索部３０に送られ、この領域フォームと同一または類似のフォームがすでに領域フォーム記憶部３２に記憶されているかを検索する。類似の領域フォームが記憶されていれば、それを読み出し、これを判定基準設定部３４および表示・ＵＩ（ユーザ・インタフェース）部３６に送出する。このとき、今回抽出した領域フォームも併せて送出してもよい。また、今回抽出された領域フォームに類似するものが記憶されていなければ、今回抽出されたフォームを判定基準設定部３４および表示・ＵＩ部３６に送出し、また領域フォーム記憶部３２に記憶する。表示・ＵＩ部３６においては、送られてきた領域フォームを表示部に表示して操作者に提供する。表示の例としては、例えば図４や図５のように印刷されるデータとともに表示してもよく、図６のように領域のみを表示するようにしてもよい。
【００２６】
操作者は、表示された領域フォームを見て使用するか否か、また複数の候補があった場合にいずれを使用するのかを選択し、その選択結果を表示・ＵＩ部３６より入力する。判定基準設定部３４は、選択された領域フォームを用いて、ページ内の印刷検査の判定基準をその領域ごとに設定する。変更印刷領域は、各ページに個別の情報が記載され、伝達内容としてこの情報が重要と考えられ、原稿画像データと高い一致性を求められる。したがって、この領域に対しては、判定の基準値を高くして厳しい判定を行う。
【００２７】
また、固定印刷領域は、ある程度の情報が伝わればよく、原稿画像データと、それほど高い一致性を求められていない。例えば、枠線などは、ある程度欠けていても必要な情報が伝達されないということはない。また、「名前」や「電話番号」などの項目名も、その内容、すなわち届け先の名前や電話番号が記載されていれば、項目名が例えなかったとしても内容は伝達される。また、「ＸＸＸＸ株式会社」やその住所など送り元の情報については、全く欠落していては問題があるが、ある程度読める程度に印刷がなされていれば、必要であれば他から情報を得て、補うこともできる。したがって、固定印刷領域に対しては、変更印刷領域ほどは原稿画像データとの一致性を求められない。したがって、この領域においては、印刷良否の判定基準を低くして、やや緩い検査を行う。
【００２８】
また、非印字領域については、汚れが目立たなければよく、よって、固定印刷領域と同じか、またはそれより低い判定基準を設定することができる。または、非印字領域については、検査を行わないようにしてもよい。
【００２９】
判定基準設定部３４が設定した領域ごとの基準に従い判定部は、印刷良否の判定を行う。
【００３０】
上述した各領域の設定の方法についていくつかの方法があるので、これらについて説明する。一連の共通のフォームのページを印刷するジョブについて、全てのページについて、積算を行い、この積算値に基づき領域の設定を行う。この場合は、過去の領域フォームを参照する必要はない。よって、共通フォームジョブの処理にあたって、常に全ページを積算する場合には、検索部３０、領域フォーム記憶部３２を省略することができる。
【００３１】
共通フォームジョブの一部のページについて積算し、領域の設定をすることもできる。この場合、積算していない残りのページのことも考慮して、図５や図８で説明したように、残りのページで記載の可能性があると判断される部分へ変更印刷領域を広げる処理を行うことが好ましい。また、過去に用いた、又はあらかじめ記憶されている領域フォームと比較し、一致した、または類似するフォームがあればこれを用いるようにすることもできる。類似するフォームの検索においては、固定印刷領域の情報に基づき検索することが好ましい。変更印刷領域は、ジョブごとに変わる可能性があるが、固定印刷領域は定形フォームであるので、異なるジョブにおいても同一のフォームが用いられていることを知るのに有利である。
【００３２】
さらに、一つのジョブについて、最初のページから順次積算して、所定数のページが積算されるごとに領域フォームを決定するようにできる。この場合、全ページの積算が終わる前に、印刷結果の検査を開始することができる。また、記憶される領域フォームは、最終的な積算結果を用いて決定されたフォームとすることができ、領域の精度が上がる。また、途中の段階で、記憶されている領域フォームから類似のものが複数検索された場合、類似のものが一つになるまで積算を行い、その結果が出てから検査を行うようにしてもよい。
【００３３】
図９は、印刷検査装置１４の制御の一例を示すフローチャートである。まず、印刷ジョブから電子データの原稿画像データを抽出する（Ｓ１００）。抽出した原稿画像データの画素値を積算して（Ｓ１０２）、これに基づき各領域を抽出する（Ｓ１０４）。抽出された領域のフォームに一致するフォームが登録されているかを判断し（Ｓ１０６）、登録されていた場合、登録されていた領域フォームの情報を判定部に通知する（Ｓ１０８）。登録される領域フォームには、領域ごとに判定基準情報を定めておくようにすることもできる。
【００３４】
一方、ステップＳ１０６で、登録されているフォームがないとされた場合は、全体に対して同一の判定基準を用いて印刷結果の検査を行う（Ｓ１１０）。この例では、実績のない領域フォームは用いないようにし、印刷終了後（Ｓ１１２）、操作者に抽出された領域フォームを提示し、登録するか選択させて、選択されれば記憶する（Ｓ１１４）。
【図面の簡単な説明】
【００３５】
【図１】本実施形態の印刷検査装置を含む印刷システムの概略構成を示すブロック図である。
【図２】印刷物の例を示す図である。
【図３】一連の印刷ジョブの各ページの画素値を積算した状態を概念的に示す図である。
【図４】抽出された領域の一例を示す図である。
【図５】図４の変更印刷領域を拡張した状態を示す図である。
【図６】図４に示される領域のみを表示した図である。
【図７】抽出された領域の一例を示す図である。
【図８】図７の変更印刷領域を拡張、追加した状態を示す図である。
【図９】本実施形態の印刷検査の制御の一例を示すフローチャートである。
【符号の説明】
【００３６】
１０  プリンタ、１４  検査装置、１８  原稿画像データ保存部、２０  読取部、２２  検査画像データ保存部、２４  判定部、２６  積算部、２８  領域抽出部、３０  検索部、３２  領域フォーム記憶部、３４  判定基準設定部、３６  表示・ＵＩ部、４０  固定印刷領域、４２  変更印刷領域。
【図１】
2005217931.tif 000003
【図２】
2005217931.tif 000004
【図９】
2005217931.tif 000005
【図３】
2005217931.tif 000006
【図４】
2005217931.tif 000007
【図５】
2005217931.tif 000008
【図６】
2005217931.tif 000009
【図７】
2005217931.tif 000010
【図８】
2005217931.tif 000011